(57)【要約】【課題】簡易なふくさでありながらも、金封の取り出し動作や差し出し動作が優美に行えるようにして、マナーを容易に実行できるようにする。【解決手段】紙で形成された紙ふくさ１１において、金封１２の裏面全体を非固定状態でのせる方形状の金封のせ部２１を形成し、該金封のせ部２１より外側の外側部３１に、前記金封のせ部２１の上の金封１２を折り畳み動作で上から覆って金封を包む形状に折り畳む折り目４１を形成する。前記金封のせ部２１の外側縁の４辺を、当該紙ふくさ１１の周りを形づくる輪郭線４３と前記折り目４１で構成し、前記折り目４１を、常態において前記金封１２を包む形状に保持する折り癖４２で構成する。【選択図】図３
0003175725.tif 000002
【実用新案登録請求の範囲】
【請求項１】
紙で形成された紙ふくさであって、
金封の裏面全体を非固定状態でのせる方形状の金封のせ部を有し、
該金封のせ部より外側の外側部に、前記金封のせ部の上の金封を折り畳み動作で上から覆って金封を包む形状に折り畳む折り目が形成され、
前記金封のせ部の外側縁の４辺が、前記折り目のみ、または当該紙ふくさの周りを形づくる輪郭線と前記折り目で構成され、
前記折り目が常態において前記金封を包む形状に保持する折り癖で構成された
紙ふくさ。
【請求項２】
前記金封のせ部の左右両側縁に前記折り癖が形成されるとともに、
前記金封を包んだときに金封に接する前記外側部の一部としての内側覆い部が一方の前記折り癖を介して形成され、
前記内側覆い部に重なる前記外側部の一部としての外側覆い部が他方の前記折り癖を介して形成され、
前記金封のせ部の上下両側縁が前記輪郭線で形成された
請求項１に記載の紙ふくさ。
【請求項３】
前記金封のせ部の外側縁の４辺が前記折り癖で形成され、
前記金封を包んだときに金封に接する前記外側部の一部としての内側覆い部と、
該内側覆い部に重なる前記外側部の一部としての外側覆い部が前記折り癖を介して形成された
請求項１に記載の紙ふくさ。
【請求項４】
前記金封のせ部及び／又は前記外側部に、金封を包んだ折り畳み状態で互いに重合する部分の一部を差し込んで重合状態を保持する切り込みが形成された
請求項１から請求項３のうちのいずれか一項に記載の紙ふくさ。
【請求項５】
前記金封のせ部に、金封を包んだ状態で金封の一部を引っ掛けて金封のずり落ちを防止する引き起こし可能な引っ掛け部が形成された
請求項１から請求項４のうちのいずれか一項に記載の紙ふくさ。
【請求項６】
前記外側部であって折り畳み状態で表側に露出する辺部分に、他の部位と外観を異にする折り曲げ線又は輪郭線が形成された
請求項１から請求項５のうちのいずれか一項に記載の紙ふくさ。
【請求項７】
前記外側部であって折り畳み状態で外側に露出する端部に、折り曲げられて金封のせ部の裏面側に係止させられる係止舌片が前記折り癖を介して形成された
請求項１から請求項６のうちのいずれか一項に記載の紙ふくさ。
【請求項８】
前記折り曲げ線又は輪郭線が、前記金封を包む形状が右前であるか又は左前であるかを識別可能にするものである
請求項６または請求項７に記載の紙ふくさ。
【請求項９】
請求項１から請求項８のうちのいずれか一項に記載の前記紙ふくさと金封を包装袋に収納するとともに、
前記包装袋には、前記紙ふくさの使い方を表示する表示部が形成された
金封セット。
【考案の詳細な説明】
【技術分野】
【０００１】
この考案は金封を包むふくさに関し、より詳しくは紙で形成された簡易な紙ふくさに関する。
【背景技術】
【０００２】
簡易なふくさとしては、下記特許文献１に開示された構成のふくさが知られている。このふくさは、紙ではなく不織布で形成されており、札入れと同様の構造である。つまり、長方形をなす基台部と蓋部を折り曲げ線を介して一体に備え、基台部にポケット状の収納部が形成されている。収納部は折り返した部分の縁を熱溶着して形成される。
【０００３】
このような構成のふくさでは、ポケット状の収納部に金封を挟み入れてから折り曲げ線で折って、蓋部を閉じて使用される。
【０００４】
織物製のふくさに比べて簡易に使用でき、使用後は簡単に廃棄できるので、急な場合や、贈る金員を他人に預けたり郵送したりする場合でも、ふくさを預かったり返したりする手間を省ける上に、祭礼を重んじ儀礼や心遣いを尽くせて、伝統や文化を承継し後世に伝えてゆくこともできるという利点を有する。
【先行技術文献】
【特許文献】
【０００５】
【特許文献１】登録実用新案第３０３３０６７号公報
【考案の概要】
【考案が解決しようとする課題】
【０００６】
しかしながら、前述のようにポケット状の収納部に金封を挟み入れる構成であるので、金封の出し入れ時に金封を損傷するおそれがある。つまり、金封に水引や熨斗などが付いている場合には、金封を収納部に挟み入れるときや引っ張り出すときに、水引や熨斗などが収納部の口や内部で引っ掛かって、引っ張られたり折れたり曲がったりすることがある。ポケット状であるため水引などがポケット内で折れたり曲がったりしていてもそのことは気づきにくい。
【０００７】
このため、水引が崩れたりして、ふくさのもう一つの役割である金封の保護がまっとうできず、結局、礼を欠くことになる。
【０００８】
また、金封を渡すときには、相手の目の前でふくさを開いて金封を取り出し、ふくさから外した台の上に金封をのせて差し出すのが基本で、台がない場合には、ふくさを金封の大きさくらいに折り畳んで台代わりにしてその上に金封をのせて差し出すのが礼儀とされている。
【０００９】
しかし、金封は前述のようにポケット状の収納部に挟み入れられていのるで、金封を取り出すときには収納部の開口部側に引っ張り出さなければならない。つまり封筒から取り出すのと何ら代わりはなく、相手の目の前で金封を取り出す動作としては情緒に欠けるものであり、ふくさを使用することの気持ちやきめ細かな心遣いを表現できるものではなかった。
【００１０】
そのうえ、金封を差し出すときにはふくさの蓋部を閉じてそのうえに金封をのせることになるのであるが、特許文献１のふくさは不織布製であり、嵩張らないように薄く製造されるので、柔軟すぎて曲がりやすく、台としては貧弱で、慣れないと差し出すしぐさがぎこちなく、体裁の悪い思いをすることがあった。
【００１１】
そこで、この考案は、簡易なふくさでありながらも、金封を十分に保護でき、金封の取り出し動作や差し出し動作が優美に行えるようにすることを主な目的とする。
【課題を解決するための手段】
【００１２】
そのための手段は、紙で形成された紙ふくさであって、金封の裏面全体を非固定状態でのせる方形状の金封のせ部を有し、該金封のせ部より外側の外側部に、前記金封のせ部の上の金封を折り畳み動作で上から覆って金封を包む形状に折り畳む折り目が形成され、前記金封のせ部の外側縁の４辺が、前記折り目のみ、または当該紙ふくさの周りを形づくる輪郭線と前記折り目で構成され、前記折り目が常態において前記金封を包む形状に保持する折り癖で構成された紙ふくさである。
【００１３】
前記「固定」とは、一定の位置にあって動かないことの意味である。
【００１４】
前記「常態において前記金封を包む形状に保持する折り癖」とは、力を加えない状態では金封を包む形状に保ち、力を加えて強制的に開いたときに金封を露出できるような保持力を有する折り癖を意味し、「金封を包む形状」とは、金封に密着して包むことのほか、平面視で金封を露出させない程度に金封を覆うものであれば金封から浮いた状態で包むことも含む意味である。
【００１５】
この紙ふくさで金封を包むには、折り癖によって折り畳まれた状態の紙ふくさを開いて、金封をのせられる程度に金封のせ部を開放する。開放された金封のせ部に金封をのせてから、折り癖を元に戻して開いた外側部を閉じる。外側部は折り畳み動作で金封に対して上から降下して金封を覆う。
【００１６】
紙ふくさから金封を取り出すときには、折り癖の保持力に抗して外側部を捲り、金封を露出させ、金封を非固定状態の金封のせ部から適宜の方向にずらして取り出す。外側部や金封のせ部が容易に変形するので、外側部がない輪郭線方向へは勿論のこと、外側部がある方向にも金封は容易に移動する。外側部は金封から離れる方向に変形するので、引っ掛かりとなることはない。
【００１７】
そして、金封を取り出した後、常態にもどすと外側部は折り癖によって元の金封を包む形状に戻ろうとするので、その動作を促すように、取り出した金封を外側部の上にのせて相手に差し出す。金封を取り出してから紙ふくさの外側部にのせる動作は、金封を取り出す方向が限定されることはなく、折り癖によって紙ふくさが金封を包む形状に戻ろうとするので、しなやかに体裁よく優美に行える。
【００１８】
前記外側部の構成について、例えば、前記金封のせ部の左右両側縁に前記折り癖が形成されるとともに、前記金封を包んだときに金封に接する前記外側部の一部としての内側覆い部が一方の前記折り癖を介して形成され、前記内側覆い部に重なる前記外側部の一部としての外側覆い部が他方の前記折り癖を介して形成され、前記金封のせ部の上下両側縁が前記輪郭線で形成された構成であるとよい。
【００１９】
紙ふくさは展開状態で横なが長方形となるので、歩留まりがよく、必要な材料を少なくできる。
【００２０】
このほか、前記金封のせ部の外側縁の４辺が前記折り癖で形成され、前記金封を包んだときに金封に接する前記外側部の一部としての内側覆い部と、該内側覆い部に重なる前記外側部の一部としての外側覆い部が前記折り癖を介して形成された構成でもよい。
【００２１】
紙ふくさは金封のせ部の全周に外側部を有するので、折り畳んだときに金封の全周を包んで金封の脱落防止と金封の保護の完全化を図れる。
【００２２】
前記金封のせ部及び／又は前記外側部に、金封を包んだ折り畳み状態で互いに重合する部分の一部を差し込んで重合状態を保持する切り込みが形成された紙ふくさとしてもよい。
【００２３】
切り込み部を形成した部分で閉じた状態にすることができるので、金封の脱落防止や外側部の捲れ防止を図れる。
【００２４】
前記金封のせ部に、金封を包んだ状態で金封の一部を引っ掛けて金封のずり落ちを防止する引き起こし可能な引っ掛け部が形成された紙ふくさとしてもよい。
【００２５】
金封のせ部に金封をのせたときに、引っ掛け部を引き起こして金封の一部、つまり金封に掛け渡された水引と金封本体との間や金封の下端に引っ掛け部が差し込まれるようにする。引っ掛け部が金封を引掛けるので、全周に外側部を有しない構造の紙ふくさであっても、金封が不測に脱落することを防げる。
【００２６】
前記外側部であって折り畳み状態で表側に露出する辺部分に、他の部位と外観を異にする折り曲げ線又は輪郭線が形成された紙ふくさとしてもよい。
【００２７】
装飾性を有する折り曲げ線又は輪郭線とすることで、外観美麗にすることができる。
【００２８】
この場合、前記折り曲げ線又は輪郭線が、前記金封を包む形状が右前であるか又は左前であるかを識別可能にするものであると、慶事用と弔事用を兼用とした構成の紙ふくさであっても正しい使い方を容易に判別できる。
【００２９】
前記外側部であって折り畳み状態で外側に露出する端部に、折り曲げられて金封のせ部の裏面側に係止させられる係止舌片が前記折り癖を介して形成された紙ふくさとしてもよい。
【００３０】
金封を包んだ後に係止舌片を裏側に折り返して折り癖の保持力でその状態を保持させると、外側部が捲れるのを防止できる。
【００３１】
課題を解決するための別の手段は、前記紙ふくさと金封を包装袋に収納するとともに、前記包装袋には、前記紙ふくさの使い方を表示する表示部が形成された金封セットである。
【考案の効果】
【００３２】
この考案によれば、紙製であるので、切断や折り癖付与、印刷等が容易であり、簡易なふくさが容易に得られる。しかも、紙製であるため必要であれば所望の装飾性を付与することも容易であり、美麗な外観のふくさとすることもできる。
【００３３】
また紙ふくさは金封を包む構造であるので、ポケット状の収納部に差し込む構造のふくさとは異なり、金封に付いている水引等が損傷するのを防止して、金封の保護が確実に行える。
【００３４】
そのうえ包んだ金封を取り出して相手に差し出す動作は慣れていなくても体裁よく円滑に行えるので、ふくさを使用する意味を十分に発揮できる。
【図面の簡単な説明】
【００３５】
【図１】紙ふくさの斜視図。
【図２】金封セットの平面図。
【図３】紙ふくさの展開図と正面図。
【図４】紙ふくさの作用状態の平面図。
【図５】紙ふくさの作用状態の平面図。
【図６】他の例に係る紙ふくさの展開図と作用状態の平面図。
【図７】他の例に係る紙ふくさの展開図と作用状態の平面図。
【図８】他の例に係る紙ふくさの展開図と作用状態の平面図。
【図９】他の例に係る紙ふくさの展開図。
【図１０】他の例に係る紙ふくさの展開図と作用状態の平面図。
【図１１】他の例に係る紙ふくさの展開図。
【図１２】他の例に係る紙ふくさの展開図と作用状態の平面図。
【図１３】図１２の紙ふくさの作用状態の断面図。
【図１４】他の例に係る紙ふくさの展開図と作用状態の平面図。
【図１５】他の例に係る紙ふくさの展開図と作用状態の平面図。
【図１６】他の例に係る紙ふくさの展開図と作用状態の平面図。
【図１７】他の例に係る紙ふくさの展開図。
【図１８】図１７の紙ふくさの作用状態の平面図。
【図１９】他の例に係る紙ふくさの展開図。
【考案を実施するための形態】
【００３６】
この考案を実施するための一形態を、以下図面を用いて説明する。  
図１は紙ふくさ１１の斜視図であり、この紙ふくさ１１は金封を包むもので、図２に示したように金封１２と、金員を直接収納して前記金封１２に収められる封筒１３と一緒に、金封セット１８として包装袋１４内に収納される。
【００３７】
紙ふくさ１１は全体が紙で形成されている。紙としては適宜のものが使用できるが、折り曲げた形態を保持できる適度の剛性を有するケント紙や上質紙、マットコート紙などを用いるとよく、表面にざらつきのある紙なども好適に使用できる。また紙は、慶事用とするには暖色、弔事用とするには寒色のものを使用し、慶事弔事兼用のものには紫色のものを使用する。図示例では特別示さないが、慶事用には右前包み、弔事用には左前包みとなるように使用される。
【００３８】
図３（ａ）は紙ふくさ１１の展開状態の平面図であり、開くと横なが長方形になり、金封１２の裏面全体を非固定状態でのせる金封のせ部２１と、この金封のせ部２１より外側の外側部３１を有する。具体的には、前記金封のせ部２１は、左右方向の中間部分に設けられて縦なが長方形であり、この金封のせ部２１の左右両側に、金封のせ部２１の上の金封１２を折りたたみ動作で上から覆って金封１２を包む前記外側部３１を有する。
【００３９】
前記金封のせ部２１は、金封１２より一回り程度大きく形成され、金封１２をのせるだけの構造で平板状である。このため金封のせ部２１にのせられた金封１２は金封のせ部２１の上で自由に移動可能な状態である。まったく自由にするほか、金封１２が外し易ければ、例えば引っ掛けるなどしてある程度の拘束状態を得られる構造にしてもよい。
【００４０】
前記外側部３１のうち左右方向の一方（図３の左側）が、金封１２を包んだときに金封接する内側覆い部３２で、左右方向の他方（図３の右側）が、金封１２を包んだときに前記内側覆い部３２に重なる外側覆い部３３である。内側覆い部３２は金封のせ部２１に重なるように折り返したときに金封のせ部２１に収まる大きさに形成され、外側覆い部３３は金封のせ部２１と同等の大きさに形成されている。
【００４１】
これら金封のせ部２１と内側覆い部３２と外側覆い部３３との間には、金封１２を折り畳み動作で上から覆って金封１２を包む形状に折り畳む折り目４１が形成されている。折り目４１は上下方向に直線状に延びており、外側覆い部３３と内側覆い部３２を観音開きできるようにするものである。
【００４２】
この２本の折り目４１は、図１、図３（ｂ）に示したように、常態において金封を包む形状に保持する折り癖４２で構成されている。折り癖４２は、内側覆い部３２と外側覆い部３３が金封１２を包む形状、つまり平面視において金封１２を露出させない程度に金封１２を覆う状態になるように、内側に折り返した状態を保持する保持力を有するもので、力を加えて開こうとしない限り金封１２を大きく露出させないようにするものである。
【００４３】
図示例では内側覆い部３２と外側覆い部３３が若干上に上がった紙ふくさ１１を示したが、もっと上に上がるものであっても、金封のせ部２１に接する状態であってもよい。折り癖４２は、折り曲げた部分を強く押さえることで形成される。
【００４４】
前記金封のせ部２１の上下両側縁は、紙ふくさ１１の周りを形づくる輪郭線４３で構成されている。つまり、金封のせ部２１の外側縁の４辺のうちの左右両側の２辺は折り癖４２で構成され、上下両側の２辺は輪郭線４３で構成されている。
【００４５】
前記金封１２と封筒１３は周知のものであり、これらには慶事用のものと弔事用のものがある。封筒１３を省略することもできる。
【００４６】
前記包装袋１４は透明のフィルム等で形成された周知の構造であるが、図２に示したように前記紙ふくさ１１の使い方を表示する表示部１５が形成されている。表示部１５には、金封１２の包み方や金封１２の渡し方が、図と文によって表示されている。表示部１５は包装袋１４に直接印刷して構成しても、表示内容を印刷したシールを貼付して構成してもよい。
【００４７】
このよう構成された金封セット１８は次のように使用される。  
まず、包装袋１４から中身を取り出し、封筒１３や金封１２に必要事項を記入し、封筒１３に金員を収納する。金員を収納した封筒１３は金封１２に収められる。
【００４８】
つぎに、この金封１２を紙ふくさ１１に包む。このためには、紙ふくさ１１の外側覆い部３３と内側覆い部３２を開いて、金封のせ部２１を適宜露出させ、金封のせ部２１に金封１２をのせる。金封１２をのせたあと、内側覆い部３２と外側覆い部３３を解放すれば、これらは折り癖４２の形状保持力によって元の形状、すなわち金封のせ部２１に内側覆い部３２と外側覆い部３３が重なった、金封１２を包む形状に戻ろうとする。戻りにくいときには戻るのを手で軽く促せばよい。すると、金封１２の表裏両面は紙ふくさ１１で包まれた状態になる。
【００４９】
内側覆い部３２と外側覆い部３３が金封１２を包む形状に戻るときには、内側覆い部３２と外側覆い部３３を折り畳むときと同様に金封１２に対して上から移動して金封１２を覆う。このため、金封１２の表面に付いている水引１２ａや熨斗１２ｂなどの部材（図２参照）に引っ掛かるような事態の発生を防げる。包んだ金封１２を取り出すときも同様である。
【００５０】
金封１２を包んだ紙ふくさ１１は、そのまま鞄やポケット等に収納して持ち運ばれる。
【００５１】
金封１２を渡すときには、紙ふくさ１１の外側覆い部３３を捲り、図４に示したように、金封１２を適宜の方向にずらして金封のせ部２１の上から取り出す。取り出すと外側覆い部３３は折り癖４２の保持力によって元の形状、すなわち金封のせ部２１に内側覆い部３２と外側覆い部３３が重なった金封１２を包む形状に戻ろうとする（図４の仮想線参照）。戻りにくいときには戻るのを手で軽く促せばよい。
【００５２】
紙ふくさ１１が金封１２を包む形状に戻るのに合わせて、またそれに先立って、図５に示したように折り畳まれた紙ふくさ１１の上に金封１２をのせる。金封１２をのせると紙ふくさ１１は、そのものが有する剛性と三重に重なったことによる剛性とによって、しっかりとした台となる。金封１２をのせる前記の動作は、紙ふくさ１１を包み直すような作業が不要であるので、金封１２を取り出し動作と連続して、一連の動作として行える。
【００５３】
しかも、取り出しに際して金封１２は、図４に矢印で示したように多くの方向に移動させることができるので、当人にとってやりやすい動作をすればよく、慣れていなくてもなめらかで自然な動作となる。つまり、金封１２を差し出す動作が円滑にしかも美しく行える。
【００５４】
以上のようにして使用される紙ふくさ１１は、金封１２を包んだ状態では金封１２を保護する。しかも包むときや取り出すときに金封１２の水引１２ａなどを損傷してしまうことを防げる。そしてその構成は、前述のように簡素であり、金封１２とセットになっているので、急な場合でも容易に対応でき、ふくさの貸し借りや返却などの面倒な作業が発生することはなく、簡便に使用できる。紙ふくさ１１の使用後は燃えるゴミとして簡単に処分できる。そのうえ前述のように金封１２の取り出し動作や差し出し動作が優美に行えるので、金封１２を良好に保護できることと相俟って、簡易な構成でありながらもふくさ本来の役割を十分に果たすことができるものとなる。
【００５５】
また、紙ふくさ１１は前述のように横なが長方形であるので、製造に際しては歩留まりがよく、材料費を抑えられるとともに、特殊な加工も不要であるので、製造コストも低減できる。
【００５６】
さらに、包装袋１４には紙ふくさ１１の使い方を表示する表示部１５を備えているので、誰でも正しい使い方ができるように促すことができ、忘れ去られようとしている伝統や文化を承継し、後世に伝えてゆくことができる。
【００５７】
加えて、紙ふくさ１１は紙製であるので加工しやすく、デザインの付与も容易であって、所望の外観を自由に得られるという効果も有する。
【００５８】
以下、その他の例について説明する。この説明において前記の構成と同一または同等の部位については同一の符号を付してその詳しい説明を省略する。
【００５９】
図６に示した紙ふくさ１１は、金封のせ部２１に、金封１２を包んだ折り畳み状態で金封のせ部２１に重合する、外側部３１の一部である内側覆い部３２の一部を差し込んで重合状態を保持する切り込み５１を有する例である。
【００６０】
切り込み５１は、図６（ａ）に示したように金封のせ部２１の下端縁に形成される。形成位置は、図６（ｂ）に示したように金封のせ部２１に金封１２をのせた状態で折り返した内側覆い部３２の先端に対応する位置である。切り込み５１は下端から内側に向けて斜めに形成される。切り込み５１の傾斜方向は外側覆い部３３の方向に向けられている。
【００６１】
すなわち、金封のせ部２１に金封１２をのせてから内側覆い部３２を折り返して前記切り込み５１に内側覆い部３２の先端縁を差し込むと、内側覆い部３２の重合状態が保持される。この保持によって、紙ふくさ１１を立てても、非固定状態の金封１２は切り込み５１部分で引っ掛かるので、金封のせ部２１から容易には滑り落ちないようになる。同時に、内側覆い部３２の金封１２に対する接触状態を保てるので、金封１２が徒に移動するのを抑制できる。
【００６２】
包んだ金封１２を取り出すときには、外側覆い部３３を開くとともに、内側覆い部３２を開くように僅かにずらせば切り込み５１による内側覆い部３２の保持は解除され、金封１２はいずれの方向にも移動可能となる。内側覆い部３２の保持を解除しないまでも金封１２は取り出せる。このため取り出し作業は簡易迅速に、しかも体裁よく行える。
【００６３】
図７（ａ）に示した紙ふくさ１１は、金封のせ部２１のほか前記外側部３１の一部としての内側覆い部３２に対して、金封１２を包んだ折り畳み状態で金封のせ部２１に重合する内側覆い部３２の一部と、内側覆い部３２に重合する外側覆い部３３の一部を差し込んで重合状態を保持する切り込み５１，５２を有する例である。
【００６４】
金封のせ部２１に形成される切り込み５１は前述の図６（ａ）に示した切り込み５１と同じである。内側覆い部３２に形成される切り込み５２は、図７（ａ）に示したように、金封のせ部２１との境界である折り癖４２に近い位置の上下両端部に形成されている。切り込み５２の形態は図６（ａ）の場合と同様である。
【００６５】
このように構成された紙ふくさ１１では、金封１２を包んだときに図６（ｂ）に示したように金封のせ部２１の切り込み５１で内側覆い部３２を止めるとともに、図７（ｂ）に示したように、内側覆い部３２の切り込み５２を利用して外側覆い部３３の先端縁を保持する。このような保持を行うと、金封１２の脱落防止ができるうえに、外側覆い部３の捲れも防止できる。
【００６６】
包んだ金封１２を取り出すときには、外側覆い部３３を開く方向に僅かにずらせば外側覆い部３３の保持は解除され、同様に、内側覆い部３２を開くように僅かにずらせば内側覆い部３２の保持は解除される。金封１２はいずれの方向にも移動可能となり、金封１２は前述と同様に容易に取り出せる。
【００６７】
なお、内側覆い部３２に形成される切込み５２は上下方向の一方のみであるもよく、金封のせ部２１の切込み５１を省略することもできる。
【００６８】
図８（ａ）に示した紙ふくさ１１は、金封のせ部２１に、金封１２を包んだ折り畳み状態で金封のせ部２１に重合する外側部３１の一部を差し込んで重合状態を保持する切込み５３を有する例である。
【００６９】
切り込み５３は金封のせ部２１の上下方向の中間部分であって、内側覆い部３２に寄った位置に形成される。このため、外側部３１は前記内側覆い部３２と前記外側覆い部３３のほかに差し込み部３４を有している。差し込み部３４は、外側覆い部３３の隣に折り癖４２を介して一体に形成されている。差し込み部３４の形状は平面視三角形である。
【００７０】
このように構成された紙ふくさ１１では、図８（ｂ）に示したように金封１２を置いて内側覆い部３２を折り癖４２の保持力に従って折り返し、同様に外側覆い部３３を折り癖４２の保持力に従って折り返し、同様に差し込み部３４を折り癖４２の保持力に従って折り返してから金封のせ部２１の裏面の切り込み５３に差し込み部３４の先端側を差し込むと、金封１２を包むことができる。
【００７１】
切り込み５３は金封のせ部２１の裏面側に存在するので、切り込み５３が表にあらわれずにすみ、外観が良好である。しかも、包んだ金封１２を取り出すときには外側覆い部３３を開けるようにずらせば、差し込み部３４は切り込み５３から容易に抜けるので、図１に示した紙ふくさ１１と同様、使い勝手がよい。そのうえ外側覆い部３３が内側覆い部３２に重なった状態が切り込み５３と差し込み部３４で保持されるので、携帯中に外側保持部３３が曲がったりして外観が毀損するような不都合回避できる。
【００７２】
図９に示した紙ふくさ１１は、金封のせ部２１に、金封１２を包んだ状態で金封１２の一部を引っ掛けて金封１２のずり落ちを防止する引き起こし可能な引っ掛け部５４が形成された例である。この場合の「金封１２の一部」は、金封１２に掛け渡された水引１２ａ部分である。
【００７３】
すなわち、金封のせ部２１における金封１２の水引１２ａに対応する位置に、平面視逆Ｕ字状の切り込み５４ａで囲まれた前記引っ掛け部５４が形成されている。この引っ掛け部５４は、裏側から押すだけの操作で容易に引き起こすことが可能である。
【００７４】
金封１２を包むときには、まず金封１２のせ部２１に金封１２をのせるとともに、引っ掛け部５４を引き起こし、引っ掛け部５４が水引１２と金封１２本体との間に差し込まれるようにする。この状態で金封１２は、上方へは勿論のこと、斜め上でも左右方向でも移動可能である。
【００７５】
金封１２をのせたあとは、折り癖４２の保持力に従って内側覆い部３２と外側覆い部３３を閉じる。
【００７６】
このような構成の紙ふくさ１１では、引っ掛け部５４が金封１２を引っ掛けているので、金封１２はほとんど自由に移動可能でありながらも、不測に金封１２が脱落してしまうことを防止できる。にもかかわらず、金封１２の取り出し作業時の自由度は高く、前述と同様に簡易迅速に、しかも体裁よく取り出しができる。
【００７７】
図１０（ａ）に示した紙ふくさ１１も、図９の紙ふくさと同じで、金封のせ部２１に、金封１２を包んだ状態で金封１２の一部を引っ掛けて金封１２のずり落ちを防止する引き起こし可能な引っ掛け部５４が形成された例である。この場合の「金封１２の一部」は金封１２の下端縁である。
【００７８】
また、この例では、金封のせ部２１に、金封１２を包んだ折り畳み状態で重合する外側部３１の一部としての内側覆い部３２の一部を差し込んで重合状態を保持する切り込み５４ａも形成されている。
【００７９】
すなわち、前記引っ掛け部５４を図９に示した引っ掛け部５４と同様に形成し、この引っ掛け部５４を形成する切り込み５４ａが、前記重合状態を保持する切り込み５４ａである。
【００８０】
引っ掛け部５４は金封のせ部２１の下端部であって内側覆い部３２を折り返したときに内側覆い部３２と重なる部分に形成される。一方、内側覆い部３２における引っ掛け部５４に対応する部位には、凹状に凹む切欠部５５が形成され、内側覆い部３２を折り返した状態で図１０（ｂ）に示したように、切欠部５５の底が引っ掛け部５４に係止するように構成されている。
【００８１】
このような構成の紙ふくさ１１では、金封１２を金封のせ部２１にのせるときに引っ掛け部５４を引き起こして金封１２の下端縁を引っ掛けるとともに、この上に重なる内側覆い部３２の切欠部５５をさらに、引き起こされた状態の引っ掛け部５４の周囲に切り込み５４ａに差し込む。すると、金封１２の脱落防止と内側覆い部３２の捲れ防止ができることになる。
【００８２】
つまり、この紙ふくさ１１でも、金封１２が不測に金封が脱落してしまうことを防止できるうえに、金封１２の取り出し作業の自由度は高く、前述と同様に簡易迅速に、しかも体裁よく取り出しができる。
【００８３】
図１１に示した紙ふくさ１１は、外側部３１であって折り畳み状態で表側に露出する辺部分に、他の部位と外観を異にする輪郭線３５が形成された例を示している。すなわち、外側部３１の一部としての外側覆い部３２の左右方向の外側の辺に、非直線の形状、具体的には半円形が連続した形状の輪郭線３５が形成され、装飾部３６を構成している。
【００８４】
装飾部３６は輪郭線３５のほか、図示しないが、斜めやＶ字型等に延びる線を、一部を折り返す折り曲げ線で構成することもできる。
【００８５】
このように紙ふくさ１１は、紙製であるため、加工が容易で、自由な外観を作出することができ、美麗さや荘厳さなど所望の外観を持たせることが可能である。
【００８６】
図１２（ａ）に示した紙ふくさ１１は、外側部３１であって折り畳み状態で外側に露出する端部に、折り曲げられて金封のせ部２１の裏面側に係止させられる係止舌片３７が折り癖４２を介して形成された例である。
【００８７】
この紙ふくさ１１は図３（ａ）の紙ふくさ１１と同じ形状の紙ふくさ１１の外側覆い部３３の端に前記係止舌片３７を一体に有している。係止舌片３７の上下方向の長さは外側覆い部３３の上下方向の長さと同一である。
【００８８】
このような構成の紙ふくさ１１では、図１２（ｂ）に示したように金封１２を金封のせ部２１にのせて包み、最後に図１２（ｃ）に示したように、係止舌片３７を折り癖４２の保持力にまかせて裏側に係止する。係止舌片３７の折り返し状態を指先で挟んでしごくようにして係止状態を補強するとよい。すると図１３に示したように、係止舌片３７が金封のせ部２１の裏面側に位置して包んだ状態が保持される。
【００８９】
金封１２を取り出す作業は、係止舌片３７または外側覆い部３３を捲るようにするだけで、その後は前述のように自然な動作で簡単に取り出せる。このため、作業性が良好である。
【００９０】
図１４（ａ）に示した紙ふくさ１１も前記係止舌片３７を有するものである。この例では、外側部３１の態様を前述のものと違えている。すなわち、金封のせ部２１の左右方向の一側に、折り癖４２を介して金封のせ部２１と同じ大きさの外側部３１を一体に有している。そしてこの外側部３１の端に前記係止舌片３７が形成されている。係止舌片３７は、外側部３１と同じ長さではなく、外側部３１の長手方向の中間部に略三角形状に形成されている。
【００９１】
このような構成の紙ふくさ１１では、金封のせ部２１に金封１２をのせたのち、折り癖４２において外側部３１を折り返して金封１２の表面を覆い、図１０（ｂ）に示したように折り癖４２によって裏面方向に折れる係止舌片３７を金封のせ部２１の裏面に係止する。
【００９２】
金封１２を取り出すときには外側部３１を、係止舌片３７の基部の折り癖４２の保持力に抗して捲る。すると金封１２は露出状態になるので、容易に取り出せる。
【００９３】
図１５（ａ）に示した紙ふくさ１１は外側部３１であって折り畳み状態で表側に露出する辺部分に、他の部位と外観を異にする輪郭線３５が形成されたものにおいて、輪郭線３５が前記金封１２を包む形状が右前であるか又は左前であるかを識別可能にする構成とした例である。
【００９４】
すなわち、外側部３１としての外側覆い部３３の上下両側部分に斜めの輪郭線３５ａ，３５ｂが形成され装飾部３６を構成している。そしてその輪郭線３５ａ，３５ｂは、上側部分の輪郭線３５ａと下側部分の輪郭線３５ｂで傾斜角度と長さを異ならせている。つまり、図１５ａ（ａ）における上側の輪郭線３５ａの角度を緩やかにするとともに短くし、下側の輪郭線３５ｂの角度を上側の輪郭線３５ａよりも急にするとともに長くしている。
【００９５】
このため、図１５（ａ）で図示した、上側の輪郭線３５ａが緩やかで短い姿勢にして紙ふくさ１１を折り畳むと、図１５（ｂ）に示したようになって係止舌片３７を連設する折り癖４２が左にでる右前の包み方であることが明確に識別できる。上下の辺の傾斜や長さを異ならせずとも識別は可能であるが、異ならせるほうが一目で違いを認識させることができるので、より明確に識別させることが可能である。
【００９６】
逆に、図１５（ａ）に示した姿勢を上下反転させた状態で紙ふくさ１１を折り畳むと、図１５（ｃ）に示したようになって係止舌片３７を連設する折り癖４２が右にでる左前の包み方であることが明確に識別できる。
【００９７】
このような構成の紙ふくさ１１では、慶弔兼用に構成した紙ふくさ１１において間違えることなく適切に使用を促すことができる。
【００９８】
図１６に示した紙ふくさ１１は、前記金封のせ部２１の外側縁の４辺が前記折り癖４２で形成され、前記金封１２を包んだときに金封１２に接する前記外側部３１の一部としての内側覆い部３２と、該内側覆い部３２に重なる前記外側部３１の一部としての外側覆い部３３ａ，３３ｂが前記折り癖４２を介して形成された例を示している。
【００９９】
すなわち、図１６（ａ）に示したように、内側覆い部３２は、金封のせ部２１の上下両側の折り癖４２を介して略横なが等脚台形状に形成されている。この内側覆い部３２の上下方向の長さは適宜長さに設定されるが、折り曲げ状態が極力自然に行えるように短めに設定される。等脚台形状であるのは、外側覆い部３３ａ，３３ｂの折り曲げ状態が良好に得られるようにするためである。
【０１００】
外側覆い部３３ａ，３３ｂは、前記図１、図３等で図示した内側覆い部３２と外側覆い部３３と同様である。つまり、前記図１、図３等で図示した内側覆い部３２と図１６（ａ）の左側の外側覆い部３３ａが同等で、前記図１、図３等で図示した外側覆い部３３と図１６（ａ）の右側の外側覆い部３３ｂが同等である。
【０１０１】
このように構成された紙ふくさ１１で金封１２を包むには、まず図１６（ｂ）に示したように上下両側の内側覆い部３２を上下の折り癖４２により折り曲げ状態にしてから、続いて左右両側の外側覆い部３３ａ，３３ｂを、長さの短い左側の外側覆い部３３ａから順に、左右の折り癖４２により折り曲げ状態にする。上下の内側覆い部３２よりも先に長さの短い方（図面左側）の外側覆い部３３ａを折り曲げ状態にしてもよい。
【０１０２】
金封１２を取り出すときには、内側覆い部３２の上下方向の長さが短いので、左右方向は勿論のこと、金封１２を上下方向にずらしても取り出すことができる。
【０１０３】
このような構成の紙ふくさ１１では、金封１２を包む形状において上下も閉塞されるので、携帯時に金封１２が不測に脱落するのを防止でき、金封１２の保護をより完全にすることができる。
【０１０４】
図１７に示した紙ふくさ１１も、図１６に示した紙ふくさ１１と同様で、前記金封のせ部２１の外側縁の４辺が前記折り癖４２で形成され、前記金封１２を包んだときに金封１２に接する前記外側部３１の一部としての内側覆い部３２と、この内側覆い部３２に重なる前記外側部３１の一部としての外側覆い部３３が前記折り癖４２を介して形成された例である。この例では、外側部３１を金封のせ部２１の上下左右のほか斜め方向にも設けて、紙ふくさ１１全体として円形に形成している。
【０１０５】
つまり、円形の中央の一側（図面左側）に寄った位置に金封のせ部２１を設け、この金封のせ部２１の全周に折り癖４２を介して内側覆い部３２と外側覆い部３３を備える。図１７の例では、金封のせ部２１の一側（図面左側）に内側覆い部３２を備え（図１８（ａ）参照）、その他の部位に、金封のせ部２１の外周縁の４辺のほかにも谷折りや山折りの折り癖４２を介して外側覆い部３３を備えている。
【０１０６】
金封のせ部２１の上下両側の部分３３ｃは図１８（ｂ）に示したように、前記内側のせ部３２の上に重なる部分で、金封のせ部の右側の部分３３ｄは、金封のせ部２１の上下両側の部分３３ｃの上に重なる部分である。金封のせ部２１の右側の部分３３ｄの端には、折り癖４２を介して係止舌片３７が備えられる。
【０１０７】
図１８（ｃ）に示したように係止舌片３７の上下方向の長さを金封のせ部２１の上下方向の長さよりも短く設定することによって、金封のせ部２１の右側の部分３３ｄにおける係止舌片３７寄りの部分の輪郭線３５が、図１５に示した紙ふくさ１１と同様に、前記金封１２を包む形状が右前であるか又は左前であるかを識別可能にするものとなる。つまり、前記輪郭線３５が図１８（ｄ）に示したように図面左側に位置することによって、右前の包み方であることが識別でき、逆に輪郭線３５が右側に位置すれば、左前の包み方であることが容易に識別できる。
【０１０８】
このような構成の紙ふくさ１１では、前述と同様の効果に加え、円形であることにより従来のふくさにはない印象を付与できるという利点がある。
【０１０９】
図１９に示した紙ふくさ１１も、前記金封のせ部２１の外側縁の４辺が前記折り癖４２で形成され、前記金封１２を包んだときに金封１２に接する前記外側部３１の一部としての内側覆い部３２と、この内側覆い部３２に重なる前記外側部３１の一部としての外側覆い部３３が前記折り癖４３を介して形成された例である。この例では、正方形における対角線を上下方向にして金封のせ部２１をその中央に設けている。
【０１１０】
この考案の構成と、前記一形態の構成との対応において、  
この考案の外側部は、前記内側覆い部３２、外側覆い部３３，３３ａ，３３ｂ、金封のせ部２１の上下両側の部分３３ｃ、金封のせ部の右側の部分３３ｄ、差し込み部３４、係止舌片３７に対応するも、  
この考案は、前述の構成のみに限定されるものではなく、その他の構成を採用することもできる。
【０１１１】
例えば、図示を省略したが、紙ふくさには適宜の図柄、模様を表示してもよい。
【符号の説明】
【０１１２】
１１…紙ふくさ
１２…金封
１４…包装袋
１５…表示部
１８…金封セット
２１…金封のせ部
３１…外側部
３２…内側覆い部
３３，３３ａ，３３ｂ…外側覆い部
３４…差し込み部
３５…輪郭線
３７…係止舌片
４１…折り目
４２…折り癖
４３…輪郭線
５１，５２，５３，５４ａ…切り込み
５４…引っ掛け部
【図１】
0003175725.tif 000003
【図２】
0003175725.tif 000004
【図３】
0003175725.tif 000005
【図４】
0003175725.tif 000006
【図５】
0003175725.tif 000007
【図６】
0003175725.tif 000008
【図７】
0003175725.tif 000009
【図８】
0003175725.tif 000010
【図９】
0003175725.tif 000011
【図１０】
0003175725.tif 000012
【図１１】
0003175725.tif 000013
【図１２】
0003175725.tif 000014
【図１３】
0003175725.tif 000015
【図１４】
0003175725.tif 000016
【図１５】
0003175725.tif 000017
【図１６】
0003175725.tif 000018
【図１７】
0003175725.tif 000019
【図１８】
0003175725.tif 000020
【図１９】
0003175725.tif 000021